(57)【要約】      （修正有）【課題】商品の保管のみならず商品が映えるように演出できる化粧箱を提供する。【解決手段】化粧箱は、底面部と、右側面部３０と、左側面部４０と、右側面部と接続し開閉可能な右フラップ部７０と、左側面部と接続し開閉可能な左フラップ部８０と、を有する。また、底面部の上方に配置された第２底面部１２０と、第２底面部と接続し右側面部の内側に配置された第２右側面部１３０と、左側面部の内側に配置された第２左側面部１４０と、第２右側面部と接続し開閉可能な第２右フラップ部１７０と、第２左側面部と接続し開閉可能な第２左フラップ部１８０と、を有する。第２右フラップ部の先端は右フラップ部と接続され、第２左フラップ部の先端は左フラップ部と接続され、第２右フラップ部の幅は右フラップ部の幅より短く、第２左フラップ部の幅は左フラップ部の幅より短い。右または左フラップ部のいずれかまたは双方を開くと、第２底面部が上昇する。【選択図】図２
0003224355.tif 000002
【実用新案登録請求の範囲】
【請求項１】
底面を構成する底面部と、
前記底面部と接続し、かつ右側面を構成する右側面部と、
前記底面部と接続し、かつ左側面を構成する左側面部と、
前記右側面部と接続し、開閉可能な右フラップ部と、
前記左側面部と接続し、開閉可能な左フラップ部と、
前記底面部の上方に配置された第２底面部と、
前記第２底面部と接続し、前記右側面部の内側に配置された第２右側面部と、
前記第２底面部と接続し、前記左側面部の内側に配置された第２左側面部と、
前記第２右側面部と接続し、開閉可能な第２右フラップ部と、
前記第２左側面部と接続し、開閉可能な第２左フラップ部と、を有し、
前記第２右フラップ部の先端は、前記右フラップ部と接続され、
前記第２左フラップ部の先端は、前記左フラップ部と接続され、
前記第２右フラップ部の幅は、前記右フラップ部の幅より短く構成され、
前記第２左フラップ部の幅は、前記左フラップ部の幅より短く構成され、
前記右フラップ部または左フラップ部のいずれか一方または双方を開くと、前記第２底面部が上昇する化粧箱。
【請求項２】
前記第２右側面部の幅は、前記右側面部の幅より短く構成され、
前記第２左側面部の幅は、前記左側面部の幅より短く構成されている請求項請求項１記載の化粧箱。
【請求項３】
前記底面部と接続し、かつ正面を構成する正面部と、
前記底面部と接続し、かつ後ろの正面を構成する後ろ正面部と、をさらに有し、
前記正面部の上端部と、前記後ろ正面部の上端部に、磁石となる吸引部を有し、
前記右フラップ部および左フラップ部に、前記吸引部と吸着する被吸着部と、を有する請求項１または２記載の化粧箱。
【請求項４】
前記第２底面部の上に商品を載置するためのクッションとなる化粧板部と、をさらに有する請求項１から３いずれかに記載の化粧箱。
【考案の詳細な説明】
【技術分野】
【０００１】
本考案は、収納した製品を見栄えをよくすることができる化粧箱に関するものである。
【背景技術】
【０００２】
製品を収納する化粧箱は、それ自体で売れ行きを左右する場合があり、製品の企画とともにその化粧箱の構成についても非常に重要である。
【０００３】
例えば、化粧箱として、特開２００２−０８７４２６号において、物品を収容できる収容部と、収容部が傾斜するように収容部の底面を支持できる板状部材と、収容部を傾斜した姿勢で支持する位置、及び収容部の底面に重なる位置との間で板状部材が移動できるように、板状部材の一の端部を底面に角度可変に連結する収容箱側連結部とを備える物品収容箱が開示されている。
【０００４】
上記化粧箱は主として、店頭において商品を陳列するための化粧箱である。従って、商品を購入した後は、商品を展示する必要がなく、かえって、必要の無い機能である場合がある。一方で、商品を購入したユーザーは、商品を保管する必要があり、その場合に化粧箱を使用する場合がある。
【０００５】
しかしながら、化粧箱は単に、商品の保管用としての機能のみならず、その商品が映えるように演出する機能が求められている。特にその商品が比較的高額である場合はなおさらその機能が求められる。
【先行技術文献】
【特許文献】
【０００６】
【特許文献１】特開２００２−０８７４２６号公報
【考案の概要】
【考案が解決しようとする課題】
【０００７】
本考案は前記の点に着目してなされたもので、その課題は、商品の保管用のみならずその商品が映えるように演出する機能を有する化粧箱を提供することである。
【課題を解決するための手段】
【０００８】
前記の課題を解決するために、第１観点の化粧箱は、底面を構成する底面部と、底面部と接続し、かつ右側面を構成する右側面部と、底面部と接続し、かつ左側面を構成する左側面部と、右側面部と接続し、開閉可能な右フラップ部と、左側面部と接続し、開閉可能な左フラップ部と、底面部の上方に配置された第２底面部と、第２底面部と接続し、右側面部の内側に配置された第２右側面部と、第２底面部と接続し、左側面部の内側に配置された第２左側面部と、第２右側面部と接続し、開閉可能な第２右フラップ部と、第２左側面部と接続し、開閉可能な第２左フラップ部と、を有し、第２右フラップ部の先端は、右フラップ部と接続され、第２左フラップ部の先端は、左フラップ部と接続され、第２右フラップ部の幅は、右フラップ部の幅より短く構成され、第２左フラップ部の幅は、左フラップ部の幅より短く構成され、右フラップ部または左フラップ部のいずれか一方または双方を開くと、前記第２底面部が上昇するといものである。
【０００９】
また、第２観点の化粧箱は、第１観点において、第２右側面部の幅は、右側面部の幅より短く構成され、第２左側面部の幅は、左側面部の幅より短く構成されているというものである。
【００１０】
第３観点の化粧箱は、第１観点または、第２観点において、底面部と接続し、かつ正面を構成する正面部と、底面部と接続し、かつ後ろの正面を構成する後ろ正面部と、をさらに有し、正面部の上端部と、後ろ正面部の上端部に、磁石となる吸引部を有し、右フラップ部および左フラップ部に、吸引部と吸着する被吸着部と、を有するというものである。
【００１１】
また、第４観点の化粧箱は、第１観点から第３観点において、第２底面部の上に商品を載置するためのクッションとなる化粧板部と、をさらに有するというものである。
【考案の効果】
【００１２】
本考案は以上のように構成され、かつ、作用するものであるから、商品の保管用のみならずその商品が映えるように演出する機能を有する化粧箱を提供することができる。
【図面の簡単な説明】
【００１３】
【図１】化粧箱の斜視図である。
【図２】右フラップ部および左フラップ部を開いた状態の化粧箱の斜視図である。
【図３】第２底面部と第２右側面部と第２左側面部と第２右フラップ部と第２左フラップ部を引き出した状態の化粧箱の斜視図である。
【図４】図１のＩＶ−ＩＶ線断面図である。
【図５】図２のＶ−Ｖ線断面図である。
【考案を実施するための最良の形態】
【００１４】
以下、図示の実施形態を参照して本実施例について説明する。本実施例の化粧箱１０は、直方体形状または立方体形状を呈する箱状であり、底面を構成する底面部２０と、その底面部２０と接続し、かつ右側面を構成する右側面部３０と、その底面部２０と接続し、かつ左側面を構成する左側面部４０と、を有する。また、底面部２０と接続し、かつ正面に配置された正面部５０と、底面部２０と接続し、かつ後ろ正面に配置された後ろ正面部６０と、を有する。また、正面部５０のほぼ中央の上端部に磁石を配置した吸引部５５が配置されている。また、後ろ正面部６０のほぼ中央の上端部に磁石を配置した吸引部６５が配置されている。
【００１５】
また、化粧箱１０は、上述の右側面部３０と接続し、開閉可能な右フラップ部７０と、上述の左側面部４０と接続し、開閉可能な左フラップ部８０と、を有する。この右フラップ部７０と左フラップ部８０とは、その両者が観音開き状態となり、それらが開口部９０を塞ぐ蓋となるものである。このように化粧箱１０は、底面部２０と  右側面部３０と、左側面部４０と、正面部５０と、後ろ正面部６０と、によって開口部９０を有する箱状を呈する。また、右フラップ部７０および左フラップ部８０において、正面部５０のほぼ中央の上端部および後ろ正面部６０のほぼ中央の上端部にそれぞれ配置した磁石である吸引部５５、６５とそれぞれ吸着する、第１被吸着部７１、７１および第２被吸着部８１、８１を配置している。
【００１６】
また、化粧箱１０は、上述の底面部２０の上方に配置された第２底面部１２０を有する。第２底面部１２０は、底面部２０の上底というべきものであり、底面部２０と第２底面部１２０はいわば２重底を構成するものである。また、後述するように第２底面部１２０が上昇するものである。
【００１７】
また、化粧箱１０は、上述の第２底面部１２０と接続し、上述の右側面部３０の内側に配置された第２右側面部１３０と、上述の第２底面部１２０と接続し、上述の左側面部４０の内側に配置された第２左側面部１４０と、を有する。さらに、化粧箱１０は、上述の第２右側面部１３０と接続し、開閉可能な第２右フラップ部１７０と、上述の第２左側面部１４０と接続し、開閉可能な第２左フラップ部１８０と、を有する。
【００１８】
また、上述の第２右フラップ部１７０の先端１７１は、右フラップ部７０と接続されている。具体的には、上述の第２右フラップ部１７０の先端１７１は折り返され、その折り返された部分１７２は右フラップ部７０に貼り付けるように接続されている。もっとも、第２右フラップ部１７０の先端１７１と折り返された部分１７２以外の部分は、右フラップ部７０に貼り付けられていない。
【００１９】
また、上述の第２左フラップ部１８０の先端１８１は、左フラップ部８０と接続されている。具体的には、上述の第２左フラップ部１８０の先端１８１は折り返され、その折り返された部分１８２は左フラップ部８０に貼り付けるように接続されている。もっとも、第２左フラップ部１８０の先端１８１と折り返された部分１８２以外の部分は、左フラップ部８０に貼り付けられていない。
【００２０】
また、第２底面部１２０と第２右側面部１３０と第２左側面部１４０と第２右フラップ部１７０と第２左フラップ部１８０とは、一連のシートで構成され、それらの境界に折り線を入れることで構成することができる。従って、底面部２０と右側面部３０と左側面部４０と正面部５０と後ろ正面部６０と右フラップ部７０と左フラップ部８０とで構成した、箱状のものの内部に、いわば、入れ子のように、一連のシートで構成され、それらの境界に折り線を入れることで構成した第２底面部１２０と第２右側面部１３０と第２左側面部１４０と第２右フラップ部１７０と第２左フラップ部１８０を配置することで、本実施例の化粧箱１０を構成することができる（図３参照）。
【００２１】
また、第２右フラップ部１７０の幅ＲＨは、右フラップ部７０の幅ＲＨ１より短く構成されている。また、第２左フラップ部１８０の幅ＬＨは、左フラップ部８０の幅ＬＨ１より短く構成されている（図５参照）。さらに、第２右側面部１３０の幅ＲＨ２は、右側面部３０の幅ＲＨ３より短く構成されている。また、第２左側面部１４０の幅ＬＨ２は、左側面部４０の幅ＬＨ３より短く構成されている（図４参照）。
【００２２】
尚、１例として、本実施例の化粧箱１０の具体的な寸法は、底面部２０は、１０８ミリメートル四方の正方形状であり、右側面部３０の幅ＲＨ３と左側面部４０の幅ＬＨ３と、正面部５０と、後ろ正面部６０の幅（高さ）はそれぞれ４０ミリメートルである。また、右フラップ部７０および左フラップ部８０は、それぞれ奥行き１０８ミリメートル、右フラップ部７０の幅ＲＨ１は、５４ミリメートルであり、左フラップ部８０の幅ＬＨ１は、５４ミリメートルである。また第２底面部１２０は、９９ミリメートル四方である。
【００２３】
また、第２右フラップ部１７０の幅ＲＨは４６ミリメートルであり、右フラップ部７０の先端７５より、５ミリメートルほど内部の位置に先端１７１が接続されている。同様に、第２左フラップ部１８０の幅ＬＨは４６ミリメートルであり、左フラップ部８０の先端８５より、５ミリメートルほど内部の位置に先端１８１が接続さている。
【００２４】
また、第２右側面部１３０の幅ＲＨ２は、２３ミリメートルであり、右側面部３０の幅ＲＨ３（上述の高さのこと）は、４０ミリメートルであるので、第２右側面部１３０の幅ＲＨ２は、右側面部３０の幅ＲＨ３より短く構成されている。
【００２５】
また、第２左側面部１４０の幅ＬＨ２は、２３ミリメートルであり、左側面部４０の幅ＬＨ３（上述の高さのこと）は、４０ミリメートルであるので、第２左側面部１４０の幅ＬＨ２は、左側面部４０の幅ＬＨ３より短く構成されている。尚、上記の寸法は例示でありこれらの寸法に限定されるものではない。
【００２６】
なお、第２右フラップ部１７０と第２右側面部１３０との境界を画定する山折の折り線１３５と、第２左フラップ部１８０と第２左側面部１４０との境界を画定する山折の折り線１４５とを有する。
【００２７】
上記構成の化粧箱１０において、右フラップ部７０および左フラップ部８０における第１被吸着部７１、７１および第２被吸着部８１、８１が、それぞれ、正面部５０のほぼ中央の上端部および後ろ正面部６０のほぼ中央の上端部に配置された磁石である吸引部５５，６５と吸着し、開口部９０を塞いでいる（図１、４参照）。その状態から、閉じた状態の右フラップ部７０と左フラップ部８０を開くと、それらに接続された、第２右フラップ部１７０と第２左フラップ部１８０が引き上げられる。上記のとおり、第２右フラップ部１７０と第２左フラップ部１８０はそれぞれ右フラップ部７０と左フラップ部８０よりその幅が短いので、それらに接続された第２右側面部１３０および第２左側面部１４０が引き上げられ、さらに、それらに接続された第２底面部１２０が上昇するのである（図２、５参照）。なお、右フラップ部７０または左フラップ部８０のいずれか一方を開いても、それらに接続された第２底面部１２０が上昇することはいうまでもない。
【００２８】
また、上記のとおり、折り線１３５と、折り線１４５とを有するので、それらの部分が折れ曲がることで、右フラップ部７０および左フラップ部８０を開いたときに、第２右フラップ部１７０と第２左フラップ部１８０が、それぞれ右フラップ部７０および左フラップ部８０の開いた状態に追従するように開くことができる。
【００２９】
このように、化粧箱１０内に図示しない商品を保管した状態から図示しないユーザーが閉じた状態の右フラップ部７０と左フラップ部８０を開くと、第２底面部１２０が上昇するので、その、第２底面部１２０に商品を載置することにより、その商品が図示しないユーザーに対してせり上がるようになり、その商品が映えるように演出することができる。これにより、化粧箱１０は、商品を保管するだけでなく、その商品が映えるように演出する機能を有するのである。なお、化粧箱１０は、紙または合成樹脂のシートで構成することができる。
【００３０】
また、第２底面部１２０の上に、さらに商品を載置するための化粧板部２００を有することができる。化粧板部２００に図示しない商品を載置するときにクッションとなることでその商品を保護することができる。
【符号の説明】
【００３１】
１０  化粧箱
２０  底面部
３０  右側面部
４０  左側面部
５０  正面部
６０  後ろ正面部
７０  右フラップ部
８０  左フラップ部
９０  開口部
１２０  第２底面部
１３０  第２右側面部
１４０  第２左側面部
１７０  第２右フラップ部
１８０  第２左フラップ部
２００  化粧板部
【図１】
0003224355.tif 000003
【図２】
0003224355.tif 000004
【図３】
0003224355.tif 000005
【図４】
0003224355.tif 000006
【図５】
0003224355.tif 000007